(57)【要約】      （修正有）【課題】積層して小袋の束にし、それを二つに重ねて収納した複数枚のフィルム製の小袋を一枚ずつ取り出すことができ、かつ残りのフィルム製の小袋を衛生的に保管できる包装袋を提供する。【解決手段】複数枚のフィルム製品の小袋を積層した束を二つに折り重ねて収納した包装袋１０であって、端部を引き裂いて袋口を形成するため側縁に切り込みを形成し、又は左右両側縁１１、１２を結ぶミシン目１５を形成し、端部を引き裂いて形成した袋口の開閉手段のチャック１６を内面に形成し、開閉手段の下方に、ヒートシールによって左右両側縁から延びる帯部１７、１８と、帯部に挟まれた、ヒートシールされていない取り出し口１９を形成し、台紙を挟むようにして小袋の束を二つに折り重ねて収納した。【選択図】図１
0003228742.tif 000002
【実用新案登録請求の範囲】
【請求項１】
複数枚のフィルム製品を積層した束を二つに折り重ねて収納した包装袋であって、
端部を引き裂いて袋口を形成するため側縁に切り込みを形成し、又は左右両側縁を結ぶミシン目を形成し、
端部を引き裂いて形成した袋口の開閉手段を内面に形成し、
開閉手段の下方に、ヒートシールによって左右両側縁から延びる帯部と、帯部に挟まれた、ヒートシールされていない取り出し口を形成し、
台紙を挟むようにして前記束を二つに折り重ねて収納したことを特徴とする包装袋。
【考案の詳細な説明】
【技術分野】
【０００１】
本考案はポリエチレン等のフィルム製の袋や手袋等各種フィルム製品を束にして包装した包装袋に関する。
【背景技術】
【０００２】
この種の包装袋の一形式として、図６に示すような包装袋３０が広く市場に供されている。この包装袋３０には、吊り下げて展示するためのフック穴３１を形成したタブ３２が一端に設けられ、他端に半円形のミシン目３３が形成されている。包装袋３０には、複数枚のフィルム製の小袋３４を積層した袋の束が、二つに折り重ねて収納されている。
【０００３】
包装袋３０の他端部をミシン目３３から引き裂くと、小袋３４の取り出し口が形成され、中の小袋３４の折り重ねた端部が取り出し口に露出するので、露出した小袋３４の端部を指で摘まんで包装袋３０から取り出すことができる。
【先行技術文献】
【特許文献】
【０００４】
【特許文献１】引用無し
【考案の概要】
【考案が解決しようとする課題】
【０００５】
上記した包装袋３０は、取扱時に膨れたり、縮んだりすると、中の小袋３４に皺が生じる。そのため、取り出し口から小袋３４を一枚ずつ取り出そうとするとき、一枚目の小袋３４の下に重なる２枚目の小袋３４が一枚目の小袋３４に引きずられ、一枚目の小袋３４と二枚目の小袋３４が２枚重なって取り出されてしまう。
【０００６】
また、包装袋３０の端部をミシン目３３から引き裂いて取り出し口を形成すると、取り出し口から塵埃が包装袋３０に侵入するおそれがあり、不衛生である。
本考案はかかる点に鑑み、積層して束にし、それを二つに重ねて収納した複数枚のフィルム製袋等のフィルム製品を一枚ずつ取り出すことができ、かつ残りのフィルム製品を衛生的に保管できる包装袋を提供することを目的とする。
【課題を解決するための手段】
【０００７】
本考案は、複数枚のフィルム製品を積層した束を二つに折り重ねて収納した包装袋であって、
端部を引き裂いて袋口を形成するため側縁に切り込みを形成し、又は左右両側縁を結ぶミシン目を形成し、
端部を引き裂いて形成した袋口の開閉手段を内面に形成し、
開閉手段の下方に、ヒートシールによって左右両側縁から延びる帯部と、帯部に挟まれた、ヒートシールされていない取り出し口を形成し、
台紙を挟むようにして前記束を二つに折り重ねて収納したことを特徴とする。
【考案の効果】
【０００８】
本考案によれば、台紙を挟むようにしてフィルム製品の束を二つに折り重ねたので、包装袋が膨れ、あるいは縮んでもフィルム製品に皺が生じ難い。そのため、フィルム製品を指で摘まんで取り出し口から取り出すとき、一枚目のフィルム製品の下に重なる２枚目のフィルム製品が一枚目のフィルム製品に引きずられない。
加えて、取り出し口の両側に帯部をヒートシールで形成したので、二枚目のフィルム製品が一枚目のフィルム製品に引きずられたとしても、帯部と干渉し、それ以上は引きずられない。そのため一枚目のフィルム製品と二枚目のフィルム製品が取り出し口から二枚重なって取り出されることはなく、フィルム製品を一枚ずつ取り出すことができる。
【０００９】
また、タブを引き裂いて形成した袋口は、開閉手段で閉じることができるので、袋口や取り出し口から塵埃が内部に侵入するのを防止でき、取り出していない残りのフィルム製品を衛生的に保管できる。
【図面の簡単な説明】
【００１０】
【図１】本考案の一実施例に係る包装袋を示す正面図である。
【図２】図１の２−２線から切断した部分拡大断面図である。
【図３】積層したフィルム製の小袋と台紙を示す斜視図である。
【図４】積層して二つ折りに重ねたフィルム製の小袋の包装袋への挿入方法を示す説明図である。
【図５】包装袋からのフィルム製の小袋の取り出しを示す説明図である。
【図６】従来の包装袋を示す正面図である。
【実施例】
【００１１】
以下に本考案を説明する。図１〜図５には本考案の一実施例に係るフィルム製の小袋の包装袋１０が示されている。当該包装袋１０はフィルム１０ａを二つに折り重ね、側縁１１，１２と下縁１３をヒートシールして形成されている。
包装袋１０の上端部にはフィルム１０ａの間にタブ１４が挟み込まれている。このタブ１４には包装袋１０を吊り下げて展示するためのフック穴１４ａが形成されている。
【００１２】
タブ１４の下方には、タブ１４を引き裂いて袋口１０ｂ（図５参照）を形成するため左右両側縁１１，１２を結ぶミシン目１５が形成されているが、ミシン目１５に代えて両側縁１１，１２にタブ１４を引き裂くための切り込みを形成してもよい。
【００１３】
ミシン目１５の下方にはタブ１４を引き裂いて形成した袋口１０ｂの開閉手段としてチャック１６が内面に形成されている。
【００１４】
このチャック１６の下方には、ヒートシールによって左右両側縁１１，１２から延びる帯部１７，１８と、両帯部１７，１８に挟まれたヒートシールされていない取り出し口１９が形成されている。
【００１５】
そして、包装袋１０には複数枚のフィルム製の小袋２０が収納されている。複数枚のフィルム製の小袋２０は、図３に示すように束に積層され、この小袋２０の束を、台紙２１を挟むようにして二つに折り重ねられてる。そして、図４に示すように、包装袋１０の下縁１３をヒートシールする前に、フィルム製の小袋２０の束を下縁１３か挿入し、挿入後に下縁１３をヒートシールし、その際、ヒートシール部分から下方の残部を除去してフィルム製の小袋２０の包装袋１０が製作される。
【００１６】
本実施例に係るフィルム製の小袋２０の包装袋１０によれば、台紙２１を挟むようにしてフィルム製の小袋２０の束を二つに折り重ねたので、包装袋１０が膨れ、あるいは縮んでもフィルム製の小袋２０に皺が生じ難い。そのため、フィルム製の小袋２０を指で摘まんで取り出し口１９から取り出すとき、一枚目の小袋２０の下に重なる２枚目の小袋２０が一枚目の小袋２０に引きずられない。
【００１７】
取り出し口１９の両側に帯部１７，１８をヒートシールで形成したので、図５に示すように、二枚目のフィルム製の小袋２０が一枚目のフィルム製の小袋２０に引きずられたとしても、帯部１７，１８と干渉し、それ以上は引きずられない。そのため一枚目のフィルム製の小袋２０と二枚目のフィルム製の小袋２０が取り出し口１９から二枚重なって取り出されることはなく、フィルム製の小袋２０を一枚ずつ取り出すことができる。
【００１８】
また、タブ１４を引き裂いて形成した袋口１０は、チャック１６で閉じることができるので、袋口１０ｂや取り出し口１９から塵埃が内部に侵入するのを防止でき、取り出していない残りのフィルム製の小袋２０を衛生的に保管できる。
なお、上記実施例の包装袋１０ではフィルム製品としてフィルム製の小袋２０を包装したが、これに限定されるものではなく、例えばフィルム製の手袋等、他のフィルム製品の包装にも本考案を適用できる。
また、開閉手段としてチャック１６を設けたが、粘着テープ付きのフラップを設けてもよい。
【符号の説明】
【００１９】
１０…包装袋
１０ａ…フィルム
１０ｂ…袋口
１１，１２…側縁
１３…下縁
１４…フック穴
１５…ミシン目
１６…チャック
１７，１８…帯部
１９…取り出し口
２０…フィルム製の小袋
２１…台紙
【図１】
0003228742.tif 000003
【図２】
0003228742.tif 000004
【図３】
0003228742.tif 000005
【図４】
0003228742.tif 000006
【図５】
0003228742.tif 000007
【図６】
0003228742.tif 000008